(57)【特許請求の範囲】
【請求項１】
複数種類の電線から使用する電線を選択して供給する電線供給装置において、
電線供給ラインが設けられた電線供給装置本体と、
上記電線供給装置本体から離れた位置に設けられ、上記複数種類の電線を互いに間隔をあけて支持する電線揃えガイドと、
上記電線供給装置本体に上記電線供給ラインに対して相対移動可能に設けられ、上記電線揃えガイドから伸びる各電線を支持する複数の電線支持部と、
上記電線供給装置本体に設けられ、上記電線供給ライン上に位置する上記電線支持部に対応する電線である供給電線の周囲にある他の電線を押し広げて該供給電線を残したまま該供給電線から遠ざける振り分け部材とを備えている
ことを特徴とする電線供給装置。
【請求項２】
請求項１の電線供給装置において、
上記電線供給装置本体には、電線選択手段が設けられ、
上記電線支持部は、上記電線選択手段によって上記電線供給ラインに対して相対的に位置変更可能に支持され、間隔をあけて配置された電線保持部材である
ことを特徴とする電線供給装置。
【請求項３】
請求項１又は２に記載の電線供給装置において、
上記振り分け部材は、一対の棒状部材よりなり、
上記一対の棒状部材は、該一対の棒状部材の先端の間隔が、起立した状態では広く、倒伏した状態では狭くなるように、該一対の棒状部材の基端側が互いに間隔をあけて起伏自在に支持されている
ことを特徴とする電線供給装置。
【請求項４】
請求項３に記載の電線供給装置において、
上記一対の棒状部材が倒伏した状態では、該一対の棒状部材の先端の真下における上記電線供給装置本体の天板内部に隠れると共に、該一対の棒状部材の起立動作に伴って上昇する一対のガイドローラを備えている
ことを特徴とする電線供給装置。
【請求項５】
請求項３又は４に記載の電線供給装置において、
上記一対の棒状部材は、基端側の間隔を変更可能に構成されている
ことを特徴とする電線供給装置。
【請求項６】
請求項１に記載の電線供給装置において、
上記振り分け部材は、一対の板状部材よりなり、
上記一対の板状部材は、該一対の板状部材の先端の間隔が、上記電線の供給方向前側では狭く、該供給方向後側では広くなると共に、該先端の高さが供給方向前側から該供給方向後側に向かって低くなるように、上記複数種類の電線が並ぶ領域に対して相対移動可能に支持されている
ことを特徴とする電線供給装置。
【請求項７】
請求項６に記載の電線供給装置において、
上記一対の板状部材は、上記供給方向後側の間隔を変更可能に構成されている
ことを特徴とする電線供給装置。
【請求項８】
請求項１に記載の電線供給装置において、
上記振り分け部材は、一対の棒状部材よりなり、
上記一対の棒状部材は、互いに遠ざかる方向及び近付く方向に移動自在に構成され、該一対の棒状部材の先端の間隔が、最も近付いたときには、上記供給電線よりも広く、最も近い他の電線よりも狭くなるように構成されている
ことを特徴とする電線供給装置。
【請求項９】
請求項１乃至８のいずれか１つに記載の電線供給装置において、
上記電線揃えガイドは、直線状に並ぶ電線支持孔を備えている
ことを特徴とする電線供給装置。
【請求項１０】
請求項１に記載の電線供給装置において、
上記電線揃えガイドは、円周方向に間隔をあけて並ぶ電線支持孔を備え、
上記複数の電線支持部も円周方向に間隔をあけて並び、
上記振り分け部材は、１本の棒状部材よりなり、
上記棒状部材は、上記電線揃えガイドの回転中は、上記複数の電線に対して離れた位置に配置され、該電線揃えガイドの停止後に、上記供給電線と他の電線との間に挿入され、該他の電線を押し広げるように移動可能に構成されている
ことを特徴とする電線供給装置。
【請求項１１】
請求項１乃至１０のいずれか１つに記載の電線供給装置を備えると共に、
上記電線供給装置から上記電線供給ラインに供給されてきた上記供給電線を少なくとも切断し、さらに選択的に絶縁被覆の剥ぎ取り、端子圧着又は半田付けを行う電線処理機を備えている
ことを特徴とする電線製造装置。
【発明の詳細な説明】
【技術分野】
【０００１】
本発明は、複数種類の電線から使用する電線を選択して供給する電線供給装置及びそれを備えた電線製造装置に関するものである。
【背景技術】
【０００２】
従来より、電線を少なくとも切断し、さらに選択的に絶縁被覆の剥ぎ取り、端子圧着又は半田付けを行う電線処理機が知られている。この電線処理機は、１台で芯線の種類、芯線を被覆する被覆材の種類等が異なる複数種類の電線を加工する必要がある。このため、複数種類の電線を巻いたリールから繰り出される電線を適宜選択して加工できるようにすることが知られている。
【０００３】
例えば、特許文献１の電線貯留ユニットのセパレータでは、電線送給方向及び並列方向と交差するガイド方向に延びる仕切り空間を並列方向に沿って多数区画し、さらに各仕切り空間に対応するガイド空間を電線送給方向の上流側と下流側とに設けるようにしている。
【先行技術文献】
【特許文献】
【０００４】
【特許文献１】特開２０００−３４０５８号公報
【発明の概要】
【発明が解決しようとする課題】
【０００５】
しかしながら、上記特許文献１のセパレータでは、複数種類の電線を１本ずつ多数の部品を通してセッティングしなければならず、電線交換時の作業が煩雑である。しかも、セパレータ自体のサイズが大きくなり、広い設置場所が必要という問題があった。
【０００６】
本発明は、かかる点に鑑みてなされたものであり、その目的とするところは、電線供給装置を簡単な構成で、セッティングが容易でコンパクトなものにすることにある。
【課題を解決するための手段】
【０００７】
上記の目的を達成するために、この発明では、複数種類の電線から電線供給ライン上に供給する供給電線以外の電線を押し広げて電線同士が絡まないようにした。
【０００８】
具体的には、第１の発明では、複数種類の電線から使用する電線を選択して供給する電線供給装置を前提とする。
【０００９】
そして、上記電線供給装置は、
電線供給ラインが設けられた電線供給装置本体と、
上記電線供給装置本体から離れた位置に設けられ、上記複数種類の電線を互いに間隔をあけて支持する電線揃えガイドと、
上記電線供給装置本体に上記電線供給ラインに対して相対移動可能に設けられ、上記電線揃えガイドから伸びる各電線を支持する複数の電線支持部と、
上記電線供給装置本体に設けられ、上記電線供給ライン上に位置する上記電線支持部に対応する電線である供給電線の周囲にある他の電線を押し広げて該供給電線を残したまま該供給電線から遠ざける振り分け部材とを備えている。
【００１０】
上記の構成によると、供給する電線に対応する電線支持部を電線供給ラインに対して相対移動させて供給電線を電線供給ライン上に配置し、その状態で振り分け部材により、供給電線を残したまま、この供給電線の周りの電線が押し広げられて供給電線から距離をあけられるので、供給電線の供給中に供給電線と他の電線とが絡まない。
【００１１】
第２の発明では、第１の発明において、
上記電線供給装置本体には、電線選択手段が設けられ、
上記電線支持部は、上記電線選択手段によって上記電線供給ラインに対して相対的に位置変更可能に支持され、間隔をあけて配置された電線保持部材である。
【００１２】
上記の構成によると、電線選択手段の位置を変更させて供給する供給電線に対応する電線保持部材が電線供給ラインに来るように移動させたときに、供給電線が電線供給ライン上に配置され、その状態で振り分け部材により、供給電線の周りの電線が押し広げられて供給電線から距離をあけられるので、供給電線の供給中に供給電線と他の電線とが絡まない。
【００１３】
第３の発明では、第１又は第２の発明において、
上記振り分け部材は、一対の棒状部材よりなり、
上記一対の棒状部材は、該一対の棒状部材の先端の間隔が、起立した状態では広く、倒伏した状態では狭くなるように、該一対の棒状部材の基端側が互いに間隔をあけて起伏自在に支持されている。
【００１４】
上記の構成によると、電線供給ライン上に電線支持部が来るように移動させたときに、倒れている一対の振り分け部材の先端の間に供給電線が配置され、一対の振り分け部材を起立させるにしたがって、基端側が間隔をあけて配置されているので、先端の間隔が徐々に開く。これにより、供給電線の周りの電線が押し広げられて供給電線から距離をあけられるので、供給電線の供給中に供給電線と他の電線とが絡まない。また、一対の棒状部材を起伏させるだけで電線の振り分けができるので、構成が極めて簡単である。
【００１５】
第４の発明では、第３の発明において、
上記一対の棒状部材が倒伏した状態では、該一対の棒状部材の先端の真下における上記電線供給装置本体の天板内部に隠れると共に、該一対の棒状部材の起立動作に伴って上昇する一対のガイドローラを備えている。
【００１６】
上記の構成によると、供給電線の供給中に電線をガイドするガイドローラは、電線供給ライン上にある電線をガイドするために最適な位置にあり、その位置に倒伏時の一対の振り分け部材の先端を持ってくることができるので、確実に振り分け前の供給電線を倒伏時の一対の振り分け部材の先端間に配置できる。
【００１７】
第５の発明では、第３又は第４の発明において、
上記一対の棒状部材は、基端側の間隔を変更可能に構成されている。
【００１８】
上記の構成によると、基端側の間隔を変更して押し広げる電線の範囲を調整することで、確実に電線の絡みが防止される。
【００１９】
第６の発明では、第１の発明において、
上記振り分け部材は、一対の板状部材よりなり、
上記一対の板状部材は、該一対の板状部材の先端の間隔が、上記電線の供給方向前側では狭く、該供給方向後側では広くなると共に、該先端の高さが供給方向前側から該供給方向後側に向かって低くなるように、上記複数種類の電線が並ぶ領域に対して相対移動可能に支持されている。
【００２０】
上記の構成によると、一対の板状部材を供給電線に対して近付け、さらに移動させることで、徐々に電線のある領域に一対の板状部材の先端が侵入し、供給電線の周りの電線を押し広げるので、簡単な構成で電線の絡みが防止される。
【００２１】
第７の発明では、第６の発明において、
上記一対の板状部材は、上記供給方向後側の間隔を変更可能に構成されている。
【００２２】
上記の構成によると、基端側の間隔を変更して押し広げる電線の範囲を調整することで、確実に電線の絡みが防止される。
【００２３】
第８の発明では、第１の発明において、
上記振り分け部材は、一対の棒状部材よりなり、
上記一対の棒状部材は、互いに遠ざかる方向及び近付く方向に移動自在に構成され、該一対の棒状部材の先端の間隔が、最も近付いたときには、上記供給電線よりも広く、最も近い他の電線よりも狭くなるように構成されている。
【００２４】
上記の構成によると、簡単な構成で供給電線の周りの電線を供給電線から遠ざけることができる。
【００２５】
第９の発明では、第１乃至第８のいずれか１つの発明において、
上記電線揃えガイドは、直線状に並ぶ電線支持孔を備えている。
【００２６】
上記の構成によると、電線のセッティングが容易で電線同士が絡みにくい。
【００２７】
第１０の発明では、第１の発明において、
上記電線揃えガイドは、円周方向に間隔をあけて並ぶ電線支持孔を備え、
上記複数の電線支持部も円周方向に間隔をあけて並び、
上記振り分け部材は、１本の棒状部材よりなり、
上記棒状部材は、上記電線揃えガイドの回転中は、上記複数の電線に対して離れた位置に配置され、該電線揃えガイドの停止後に、上記供給電線と他の電線との間に挿入され、該他の電線を押し広げるように移動可能に構成されている。
【００２８】
上記の構成によると、コンパクトな構成で電線揃えガイドと電線支持部との間での絡みが１本の棒状部材で簡単に防止できる。
【００２９】
第１１の発明の電線製造装置は、第１乃至第１０のいずれか１つの発明の電線供給装置を備えると共に、
上記電線供給装置から上記電線供給ライン上に供給されてきた上記供給電線を少なくとも切断し、さらに選択的に絶縁被覆の剥ぎ取り、端子圧着又は半田付けを行う電線処理機を備えている。
【００３０】
上記の構成によると、電線をセッティングし直すことなく、複数種類の電線を適宜選択でき、選択した電線が絡むことなくスムーズに電線処理機に供給されるので、効率のよい電線製造装置が得られる。
【発明の効果】
【００３１】
以上説明したように、本発明によれば、電線供給装置本体に設けた振り分け部材により、電線供給ライン上に位置する電線支持部に対応する電線である、供給電線の周囲にある他の電線を供給電線を残したまま押し広げて供給電線から遠ざけるようにしたことにより、電線供給装置を簡単な構成で、セッティングが容易でコンパクトなものにすることができる。
【図面の簡単な説明】
【００３２】
【図１】本発明の実施形態１に係る電線供給装置を示す平面図である。
【図２】電線製造装置の要部を示す平面図である。
【図３】電線供給装置を示す正面図である。
【図４】電線供給装置を示す側面図である。
【図５】振り分け部材の先端、ガイドローラ及びその周辺を拡大して示す側面図である。
【図６】第６電線を振り分ける状態を示す図１相当図である。
【図７】実施形態２の振り分け部材が電線の振り分けを開始する様子の概略を示す斜視図である。
【図８】実施形態２の振り分け部材が電線の振り分けを行う様子の概略を示す斜視図である。
【図９】実施形態３の振り分け部材が電線の振り分けを行う様子の概略を示す斜視図である。
【図１０】変形例１に係る図８相当図である。
【図１１】変形例２に係る図８相当図である。
【図１２】変形例３に係る図８相当図である。
【発明を実施するための形態】
【００３３】
以下、本発明の実施形態を図面に基づいて説明する。
【００３４】
図２は本発明の実施形態の電線供給装置１を示し、この電線供給装置１は、電線５０の切断、被覆材の剥ぎ取り、端子の圧着等を行う電線処理機２に複数種類の電線５０から１種類の電線５０を選択して供給する役割をする。電線処理機２の構成は特に限定されない。なお、本実施形態では、電線５０の供給方向（送り出し方向）を前側とする。これら電線供給装置１及び電線処理機２は、電線５０を加工して出荷状態とする電線製造装置３０の一部を構成し、この電線製造装置３０は、コンピュータ等よりなる制御装置３により制御される。
【００３５】
電線供給装置１は、電線交換装置４と、複数の（本実施形態では２つの）電線棚５とを備えている。電線棚５の形状は特に限定されないが、例えば、各電線棚５は、それぞれ６つのリール６を収容可能に構成され、各リール６には、それぞれ異なる種類の電線５０が巻かれている。各電線棚５の上部には、各リール６から繰り出される電線５０を電線交換装置４へ水平方向に向けるための６つの仕分けローラ７が１列に配置されている。
【００３６】
図３に示すように、電線交換装置４は、車輪８ａに支持された電線供給装置本体としての交換装置本体８を有し、電線棚５側（後側）に電線受け９を有する。この電線受け９の後端には、各仕分けローラ７から水平に繰り出される電線５０が互いに絡まないように同じ高さで間隔を保った状態で支持する一対の電線揃えガイド１０が設けられている。この電線揃えガイド１０には、６つの後側電線支持孔１０ａが等間隔に直線状に配置されている。このため、電線揃えガイド１０に電線５０を容易にセッティングでき、電線５０の絡みが防止できるようになっている。図２に示すように、本実施形態では、隣り合う後側電線支持孔１０ａの間隔は、隣り合う仕分けローラ７の間隔よりも広くなっているが、同一でもよく、また、広くなっていてもよい。一方の電線棚５の仕分けローラ７から後側電線支持孔１０ａに向かう電線５０は、他方の電線棚５の仕分けローラ７から後側電線支持孔１０ａに向かう電線５０とは、平面視で互いに近付く方向に傾斜している。
【００３７】
電線受け９は、後側電線支持孔１０ａから供給されて撓んだ電線５０を収容する電線収容部９ａを備えている。この電線収容部９ａは、図３に示すように、側方から見てＵ字状であり、撓んだ電線５０が地面に当接しないようにしている。
【００３８】
図１に示すように、電線受け９の前方には、電線５０を保持するための例えば２つの電線カセット１１を備えている。これらの電線カセット１１は、左右に移動可能な電線選択手段としてのスライダ１２の上に配置されている。スライダ１２は、交換装置本体８の天板８ｂ上に配置された左右に伸びる一対のレール１３上をスライド移動可能に構成されている。スライダ１２は、モータ、シリンダ等のアクチュエータにより自動で移動可能にするとよい。各電線カセット１１は、６本の電線支持部としての電線保持部材１４を備え、これらの電線保持部材１４が長手方向中央でホルダ１５により支持されている。電線保持部材１４の後端には、供給されてきた電線５０を引き戻し方向には規制するが、送り出し方向には移動を許容する電線支持部１６が設けられている。
【００３９】
そして、本発明の特徴として、図１〜図５に示すように、電線交換装置４は、電線棚５から供給されてきた１２本の電線５０のうち１本のみを選択し、電線保持部材１４側へ供給するセパレータ２０を備えている。交換装置本体８の後側には、天板８ｂから後方に向かって下方へ傾斜する傾斜部８ｃと、この傾斜部８ｃの下端に連続する平坦な段差部８ｄとが形成されている。この段差部８ｄには、左右に間隔をあけて一対の棒状の振り分け部材２１が傾動可能に配置されている。この振り分け部材２１は、図２〜図４に実線で示すように垂直に起立したときは、先端２１ａが最も左右に離れ、同図に２点鎖線で示すように前側に最も倒れたときには、先端２１ａが互いに最も近付くように構成されている。振り分け部材２１は、図５に２点鎖線で示すように最も倒れたときに、その先端が交換装置本体８の天板８ｂに沿うように先端２１ａが折り曲げられ、その先端２１ａの近傍には、天板８ｂに対して昇降可能に配置された一対のガイドローラ２２が設けられている。これら一対のガイドローラ２２と、一対の振り分け部材２１とは、互いに連動し、振り分け部材２１が最も倒れたときには、ガイドローラ２２はその先端２１ａの真下の天板８ｂ内に隠れ、振り分け部材２１が起きあがるに連れてガイドローラ２２も上昇し、振り分け部材２１が完全に起立したときには、図５に実線で示すように、ガイドローラ２２も最も高い上昇位置にあるように構成されている。
【００４０】
−電線供給装置の作動−
次に、本実施形態に係る電線供給装置１の作動について説明する。
【００４１】
電線製造装置３０は、制御装置３により、制御される。まず、図２に示すように、電線棚５の各リール６から電線５０を繰り出し、対応する仕分けローラ７を通し、後側電線支持孔１０ａを通し、電線保持部材１４に保持する。１２本全ての電線５０を同様に保持する。このとき、図２に２点鎖線で示すように、振り分け部材２１は最も倒れた状態にある。
【００４２】
次いで、例えば、左から１２番目の第１２電線５０を供給する場合には、まず、図１に示すように、対応する右側の電線カセット１１の右から１番目（全体として左から１２番目）の電線保持部材１４が、電線供給ラインＬに来るようにスライダ１２を移動させる。電線供給ラインＬ上の電線保持部材１４は、他の電線保持部材１４よりも前方へスライドされる。このとき、選択した第１２電線５０は、電線供給ラインＬ上にあり、倒れた一対の振り分け部材２１の中央にあって、電線５０の先端は、電線処理機２の方へ伸びている。
【００４３】
次いで、この選択した第１２電線５０の近くの他の電線５０を、選択した第１２電線５０から離すためにセパレータ２０を作動させる。すなわち、振り分け部材２１を徐々に起立させる。
【００４４】
すると、電線５０の高さまで起立してきた振り分け部材２１は、まず、選択した第１２電線５０の左側の第１１電線５０から順に第１電線５０まで接触する。傾斜部８ｃに垂れている他の電線５０にも同様に接触し、第１２電線５０以外の電線５０が第１２電線５０から遠ざけられる。
【００４５】
図５に示すように、振り分け部材２１の起立にしたがってガイドローラ２２が上昇する。ガイドローラ２２は、電線供給ラインＬ上にある電線５０をガイドするために最適な位置にあり、その位置に倒伏時の一対の振り分け部材２１の先端２１ａを持ってくることができるので、確実に振り分け前の供給電線５０を一対の振り分け部材２１の先端２１ａ間に配置できる。
【００４６】
最後に振り分け部材２１が垂直に起立したときには、図１に示すように、選択した第１２電線５０以外の電線５０は、起立した振り分け部材２１によって第１２電線５０から遠ざけられる。
【００４７】
この状態で、第１２電線５０のみが起立したガイドローラ２２にガイドされながら電線処理機２の方へ供給され、制御装置３によって自動で電線５０の切断、被覆材のストリップ、端子圧着等の処理が行われる。この際に第１２電線５０は、リール６から電線処理機２の処理に合わせて繰り出されるが、他の電線５０は、振り分け部材２１によって左右に振り分けられて第１２電線５０から離れているので、第１２電線５０と他の電線５０とが絡みにくい。
【００４８】
そして、電線処理機２で所定の処理が終わり、次に別の種類の電線５０である第６電線５０の処理を始める場合について説明する。
【００４９】
この場合には、まず、第１２電線５０の先端が電線処理機２で切断され、第１２電線５０が電線交換装置４のアクチュエータにより電線保持部材１４のところまで引き戻される。この状態で第１２電線５０がその電線保持部材１４に保持される。図３に示すように、第１２電線５０は、引き戻されたので、電線収容部９ａ内で撓む。このように、一度選択された電線５０は、引き戻し作業が行われるので、電線収容部９ａ内で撓み、傾斜部８ｃ又は段差部８ｄに接触する。電線５０が戻された後、振り分け部材２１は倒れる。リール６から電線保持部材１４に取り付け後、一度も選択されていない電線５０は撓まずほぼ水平に保たれている。
【００５０】
次いで、今度は、図６に示すように、対応する左側の電線カセット１１の左から６番目の電線保持部材１４が、電線供給ラインＬに来るようにスライダ１２を移動させる。
【００５１】
次いで、この選択した第６電線５０の近くの他の電線５０を選択した第６電線５０から離すためにセパレータ２０を作動させ、振り分け部材２１を徐々に起立させる。
【００５２】
すると、一対の振り分け部材２１の基端側は互いに左右に離れて配置されているので、電線５０の高さまで起立してきた振り分け部材２１は、まず、選択した第６電線５０の左右の第５及び第７電線５０に接触する。
【００５３】
さらに振り分け部材２１を起立させていくと、その電線５０の高さにある部分は徐々に左右に広く広がっていくので、さらに外側の第４及び第８電線５０が押しのけられ、さらに第３及び第９電線５０、第２及び第１０電線５０、第１及び第１１電線５０、第１２電線５０の順に押しのけられる。
【００５４】
したがって、本実施形態に係る電線供給装置１によると、電線交換装置４に設けた一対の棒状の振り分け部材２１により、電線供給ラインＬ上に位置する電線保持部材１４に対応する供給電線５０の周囲にある他の電線５０を押し広げて供給電線５０から遠ざけるようにしたことにより、電線供給装置１を簡単な構成で、セッティングが容易でコンパクトなものにすることができる。
【００５５】
また、電線５０をセッティングし直すことなく、複数種類の電線５０を適宜選択でき、選択した電線５０が絡むことなくスムーズに電線処理機２に供給されるので、効率のよい電線製造装置３０が得られる。
【００５６】
なお、一対の振り分け部材２１の基端側の間隔を変更可能に構成してもよい。基端側の間隔を変更して押し広げる電線５０の範囲を調整することができれば、さらに確実に電線５０の絡みを防止することができる。
【００５７】
（実施形態２）
図７及び図８は本発明の実施形態２を示し、主にセパレータ１２０の構成が異なる点で上記実施形態１と異なる。なお、以下の各実施形態では、図１〜図６と同じ部分については同じ符号を付してその詳細な説明は省略する。
【００５８】
すなわち、図７に示すように、本実施形態のセパレータ１２０は、振り分け部材１２１が一対の板状部材よりなる。板状の振り分け部材１２１は、下端は水平で、先端１２１ａが前方から後方へ湾曲して高さが低くなっている。この振り分け部材１２１は、互いに供給方向前側の前端１２１ｂが近付き、後側の後端１２１ｃが離れるように配置される。その前端１２１ｂ及び後端１２１ｃの間隔は、隣接する電線５０を十分に離すことができる距離にするとよい。なお、以下の実施形態では、電線５０の数を１０本とするが、その本数は限定されない。
【００５９】
これら一対の板状の振り分け部材１２１は、複数種類の電線５０が並ぶ領域に対して上下に昇降自在に構成されている。昇降させる構成は特に限定されず、空気シリンダ、電動モータ等のアクチュエータを使用すればよい。
【００６０】
このように構成することにより、電線供給ラインＬ上にある選択された第３電線５０の真下に配置された一対の振り分け部材１２１を徐々に上昇させると、例えば選択された第３電線５０に隣接する第２電線５０及び第４電線５０が振り分け部材１２１の先端１２１ａに接して滑りながら左右に振り分けられる。
【００６１】
図８に示すように、振り分け部材１２１の上昇に伴って電線５０の高さに来る振り分け部材１２１の先端１２１ａが徐々に左右に広がっていくので、第３電線５０及び第５電線５０、第２電線５０及び第６電線５０の順に徐々に滑りながら広げられて電線５０の振り分けが行われる。
【００６２】
したがって、本実施形態に係る電線供給装置１においても、電線供給装置１を簡単な構成で、セッティングが容易でコンパクトなものにすることができる。
【００６３】
なお、逆に一対の振り分け部材１２１側を固定して複数種類の電線５０側を下降させるようにしてもよい。また、一対の振り分け部材１２１の供給方向後側の間隔を変更可能に構成してもよい。この構成によると、後端１２１ｃ側の間隔を変更して押し広げる電線５０の範囲を調整することで、確実に電線５０の絡みを防止することができる。
【００６４】
（実施形態３）
図９は本発明の実施形態３を示し、振り分け部材２２１の構成が異なる点で上記各実施形態と異なる。
【００６５】
すなわち、本実施形態のセパレータ２２０では、振り分け部材２２１は、一対の左右に伸びる棒状部材よりなる。一対の振り分け部材２２１は、それぞれ別々に上下に昇降可能に構成されている。昇降させる構成は特に限定されない。待機時には、右側の振り分け部材２２１は電線５０の下方に、左側の振り分け部材２２１は電線５０の上方に配置されるようにすれば、電線５０のセッティング等が容易である。振り分け部材２２１は、振り分けようとする電線５０が滑って元に戻らないように先端２２１ａが折れ曲がっているのが望ましい。
【００６６】
そして、選択された電線５０（例えば図９に示す第５電線５０）の左側の電線５０は、左側の振り分け部材２２１が下降することで、第５電線５０よりも下方に押さえ付けられて振り分けられ、第５電線５０の右側の電線５０は、振り分け部材２２１が上昇することによって第５電線５０よりも上方に押さえ付けられて振り分けられる。
【００６７】
したがって、本実施形態に係る電線供給装置１においても、電線供給装置１を簡単な構成によって、供給電線５０の周りの電線５０を供給電線５０から遠ざけることができる。
【００６８】
また、電線供給装置１からの電線５０が絡まず、スムーズに供給されるので、電線製造装置３０により電線を安定して製造することができる。
【００６９】
−各実施形態の変形例−
（変形例１）
上記各実施形態では、複数の電線５０は、左右方向に間隔をあけて配置されているが、図１０に示す変形例１のように、電線揃えガイド１０及び前側電線支持部２１１を立てて上下に間隔をあけて配置し、後側電線支持孔１０ａと電線支持部２１６との間に電線５０を通してもよい。この場合には、リール６の配置や電線処理機２の配置もそれに合わせて変更するとよい。
【００７０】
変形例１では、スライダ１２の移動時には、棒状の振り分け部材２２１を電線５０から遠ざけ、スライダ１２により選択された電線５０（例えば第４電線５０）を電線供給ラインＬに持ってくると、一対の振り分け部材２２１の先端２２１ａの間に第４電線５０が配置される。
【００７１】
その後、振り分け部材２２１をそれぞれ上方と下方とに移動させることで第４電線５０の周囲の電線５０が振り分けられる。
【００７２】
（変形例２）
また、図１１に示すような変形例２では、電線揃えガイド１０及び前側電線支持部２１１を上下に並べることで、電線５０が上下方向に供給される。この場合には、水平方向に互いに広がる振り分け部材２２１によって選択された電線５０の周囲の電線５０が振り分けられる。
【００７３】
（変形例３）
さらに、図１２に示すような変形例３のセパレータ３２０では、複数種類の電線５０が各リール６から円筒状支持板よりなる電線揃えガイド３１０の各電線支持孔３１０ａに供給される。また、各電線支持孔３１０ａから伸びる電線５０は、円板状支持板３１１の電線支持部３１６に至る。電線支持孔３１０ａは、円周方向に間隔をあけて並び、電線支持部３１６も円周方向に間隔をあけて並んでいる。
【００７４】
そして、電線揃えガイド３１０及び円板状支持板３１１を回転させて選択する電線５０が最も上側にくるようにし、その電線５０を電線支持部３１６からさらに伸ばして電線供給ラインＬに導くようにしている。
【００７５】
このように構成すれば、１本の振り分け部材３２１を電線揃えガイド３１０の回転中は、複数の電線５０に対して離れた位置に配置し、電線揃えガイド３１０の停止後に、供給電線５０と他の電線５０との間に挿入し、他の電線５０を押し広げるように移動させることができる。これにより、他の電線５０を１本の振り分け部材３２１によって下方に押さえ付けて供給電線５０から振り分けることも可能となる。
【００７６】
なお、電線揃えガイド３１０までの電線は、電線棚５側で電線揃えガイド３１０の回転によって絡まないようにする構成とすればよい。
【００７７】
（その他の実施形態）
本発明は、上記実施形態について、以下のような構成としてもよい。
【００７８】
すなわち、上記実施形態では、リール６の個数が６つに場合について説明したが、この個数は特に限定されず、リール６の個数に会わせて仕分けローラ７、電線保持部材１４等関連する全ての部品の個数を調整すればよい。
【００７９】
また、上記各実施形態では、電線供給ラインＬは１本とし、供給電線５０を１本のみとしているが、電線供給ラインＬを複数とし、供給電線５０を複数にして、それ以外の電線５０を振り分けるようにしてもよい。
【００８０】
なお、以上の実施形態は、本質的に好ましい例示であって、本発明、その適用物や用途の範囲を制限することを意図するものではない。
【産業上の利用可能性】
【００８１】
以上説明したように、本発明は、複数種類の電線から使用する電線を選択して供給する電線供給装置及びそれを備えた電線製造装置について有用である。
【符号の説明】
【００８２】
１      電線供給装置
２      電線処理機
８      交換装置本体（電線供給装置本体）
８ｂ    天板
１０      電線揃えガイド
１１      電線カセット
１２      スライダ（電線選択手段）
１４      電線保持部材
１６      電線支持部
２１      振り分け部材
２１ａ    先端
２２      ガイドローラ
３０      電線製造装置
５０      電線、供給電線
１２１      振り分け部材
１２１ａ    先端
２１６      電線支持部
２２１      振り分け部材
３１０      電線揃えガイド
３１０ａ    電線支持孔
３１６      電線支持部
３２１      振り分け部材
Ｌ      電線供給ライン
【図１】
0005852907.tif 000002
【図２】
0005852907.tif 000003
【図３】
0005852907.tif 000004
【図４】
0005852907.tif 000005
【図５】
0005852907.tif 000006
【図６】
0005852907.tif 000007
【図７】
0005852907.tif 000008
【図８】
0005852907.tif 000009
【図９】
0005852907.tif 000010
【図１０】
0005852907.tif 000011
【図１１】
0005852907.tif 000012
【図１２】
0005852907.tif 000013